(57)【要約】【課題】包装用容器を多段に積み重ねたときの全体の積み上げ高さを低く抑えながら、ラッピングフィルム用の支持突起１６を設けた側壁１２ａに対向する側壁１２ｃ側に向けて全体が傾斜した姿勢となるのを阻止することのできる包装用容器１０を開示する。【解決手段】底面１１および底面１１の周囲から上方開口部に向けて拡開しながら外側に傾斜する側壁１２を有する略矩形状のトレイ部１５と、１つの側壁１２ａにその一部を上方に向けて山形に成形したラッピングフィルムを支持するための支持突起１６とを備えた発泡樹脂シートを成形した包装用容器１０において、支持突起１６を備えない側壁に、側壁１２の外側面から外側に膨出する肉厚の膨出部２０を形成する。膨出部２０の形成位置は、同じ形態の包装用容器１０を同じ方向で積み重ねたときに、下位に位置する包装用容器の側壁１２内面または頂部に当接することで、上位に位置する包装用容器が下位に位置する包装用容器とほぼ平行な姿勢を保持することができる位置とする。【選択図】図５
2010269805.tif 000002
【特許請求の範囲】
【請求項１】
底面および底面の周囲から上方開口部に向けて拡開しながら外側に傾斜する側壁を有する略矩形状のトレイ部と、前記側壁の１つの側壁にその一部を上方に向けて山形に成形したラッピングフィルムを支持するための支持突起とを備えた発泡樹脂シートを成形した包装用容器において、
前記包装用容器は、前記側壁のうちの前記支持突起を備えない側壁に、当該側壁の外側面から外側に膨出する肉厚の膨出部を有しており、前記肉厚の膨出部は、同じ形態の包装用容器を同じ方向で積み重ねたときに、下位に位置する包装用容器の側壁内面または頂部に当接することで、上位に位置する包装用容器が下位に位置する包装用容器とほぼ平行な姿勢を保持することができる位置に形成されていることを特徴とする包装用容器。
【請求項２】
底面および底面の周囲から上方開口部に向けて拡開しながら外側に傾斜する側壁を有する略矩形状のトレイ部と、前記側壁の１つの側壁にその一部を上方に向けて山形に成形したラッピングフィルムを支持するための支持突起とを備えた発泡樹脂シートを成形した包装用容器において、
前記包装用容器は、前記側壁のうちの前記支持突起を備えない側壁に、当該側壁の内側面から内側に膨出する肉厚の膨出部を有しており、前記肉厚の膨出部は、同じ形態の包装用容器を同じ方向で積み重ねたときに、上位に位置する包装用容器の側壁外面が当接することで、上位に位置する包装用容器が下位に位置する包装用容器とほぼ平行な姿勢を保持できる位置に形成されていることを特徴とする包装用容器。
【請求項３】
前記肉厚の膨出部は、前記略矩形状のトレイ部における支持突起を形成した側壁を含まない他の側壁同士で形成される隅部に形成されていることを特徴とする請求項１または２に記載の包装用容器。
【請求項４】
前記肉厚の膨出部は、前記略矩形状のトレイ部における支持突起を形成した側壁に連続する２つの側壁に対をなすようにして形成されていることを特徴とする請求項１または２に記載の包装用容器。
【請求項５】
前記肉厚の膨出部は、前記略矩形状のトレイ部における支持突起を形成した側壁に対向する側壁に形成されていることを特徴とする請求項１または２に記載の包装用容器。
【請求項６】
前記肉厚の膨出部は、前記略矩形状のトレイ部における支持突起を形成した側壁に連続する２つの側壁および対向する側壁にそれぞれ形成されていることを特徴とする請求項１または２に記載の包装用容器。
【発明の詳細な説明】
【技術分野】
【０００１】
本発明は、発泡樹脂シートを成形した包装用容器であって、包装時に使用されるラッピングフィルムを支持するための支持突起を備えた包装用容器に関し、特に、その複数個を同じ方向で上下方向に積み重ねたときに、その積み重ね姿勢をほぼ垂直な姿勢に維持できるようにした発泡樹脂シートを成形した包装用容器に関する。
【背景技術】
【０００２】
従来、例えば、刺身等の鮮度保持が厳しく求められる食品を収納する包装用容器として、断熱性に優れ、また軽量化できる点においても優れていることから、発泡樹脂シートを成形した包装用容器が使用されている。使用に当たっては、収納物の鮮度を保ちながら外からもよく見えるようにするために、透明なフィルム等であるいわゆるラッピングフィルムによって全体を包装することが行われる。ラップ包装をした際に、ラッピングフィルムが収納物に接触して見栄えが低下したり、接触により刺身などが変形してつぶれることで商品価値が低下する恐れがある。それを防止するために、側壁や底面の一部に支持突起を形成した包装容器が用いられており、ラッピングフィルムの一部をこの支持突起の先端で持ち上げた姿勢で全体を包装（ラッピング）することによって、つぶれの発生等を回避している。
【０００３】
この種の発泡樹脂シートを成形した包装用容器は、約３０〜１００枚程度を、姿勢を同じ方向とした状態で積み重ねた後、筒状の袋に包装し、この包装した袋体の複数個をダンボールケースなどに詰めて、保管や運搬に供される。
【０００４】
ところで、発泡樹脂シートを成形して作られる包装用容器は、形状を問わず、一般に非常に軽量であり、同じ形状の包装用容器を自然状態で積み重ねたときに、下位に位置する包装用容器の表面側と上位に位置する包装用容器の裏面側とが密着状態となるまで、上位の包装用容器が下位の包装用容器に向けて均一に沈み込むことはほとんどなく、両者が一部において摩擦接触した状態で、上位の包装用容器の移動が停止する場合が多い。どのような部位において部分的摩擦接触するかは、その容器の形状や重ね合わせるときの姿勢に依存する。
【０００５】
すなわち、上からの押し付け力を特に加えることなく、下位の包装用容器の上に上位の包装用容器を重ね合わせた場合、上位に位置する包装用容器は、下位に位置する包装用容器と平行な姿勢で積み重なることは少なく、前記部分的な摩擦接触の部位に依存するいずれかの方向に傾斜した姿勢となることが多い。そのために、積み重ねたときの全体の姿勢が不安定となるのを避けられない。
【０００６】
図８に示すように、側壁２の一部にラッピングフィルムのための支持突起３を形成した包装容器１の場合、上位の包装用容器の支持突起裏面の空間部に、下位に位置する包装用容器の支持突起が入り込むようにして、順次、積み重ねられるが、積み重ねする際に生じる前記部分的な摩擦接触は、上位の包装用容器の支持突起３の裏面側と下位の包装用容器の支持突起３の表面側との間で最初に起こることが多い。一方、支持突起３を形成した側壁２ａに対向する側の側壁２ｂは全体として平坦面であり滑りやすいことから、図８に示すように多段に積み重ねた場合に、支持突起３を設けた側壁２ａに対向する側壁側２ｂが次第に沈み込んでいき、支持突起３を設けた側壁２ａに対向する側壁２ｂ側に向けて全体が傾斜する姿勢となるのを避けられない。
【０００７】
特許文献１には、前記したような支持突起を設けた形態の包装用容器において、一つの側壁に前記支持突起を１つ設けた包装用容器が記載されている。この形態の包装用容器では、積み重ねする際に生じる前記部分的な摩擦接触は、前記したように、上位の包装用容器の支持突起の裏面側と下位の包装用容器の支持突起の表面側との間で最初に起こることが多く、その場合、支持突起が１つであるために、支持突起の左右側に上位の包装用容器が傾きがちとなる。そこで、特許文献１に記載の包装用容器では、支持突起を設けた側壁の少なくとも両側に位置する隅部に、側壁の一部を外側に突出させた受け部を設け、同じ形状の包装用容器を積み重ねたときに、前記各受け部が他の包装用容器の受け部内面にそれぞれ当接するように、かつその状態で、上位の包装用容器の支持突起の裏面側と下位の包装用容器の支持突起の表面側とが接触しないようにすることによって、上位の包装用容器が支持突起の左右側に傾くことを防止し、多数の包装用容器を相互に水平に安定して積み重ねることができるようにしている。
【先行技術文献】
【特許文献】
【０００８】
【特許文献１】特許第３６７７６４２号公報
【発明の概要】
【発明が解決しようとする課題】
【０００９】
ところで、ラッピングフィルムのための支持突起を設けた包装用容器において、支持突起には、ラップ包装の際に強い締め付け力がかかるため、この締め付けによって破損しないだけの十分な強度が求められる。そのために、支持突起は容器の他の部分の厚みと比べて肉厚に成形される場合がある。この形態では、上位の支持突起の裏面空間部に、下側に積み重ねられる包装用容器の支持突起を挿入して重ねるに際し、厚みがすべて等しくされている包装容器の場合と比較して、その他の（支持突起を設けていない３つの）側壁の積み重ね部分より高くなりやすい。そのために、前記した支持突起を設けた側壁に対向する側壁側の沈み込みがさらに大きくなり、多数個を積み重ねた際に、支持突起を設けた側壁に対向する側壁側に向けて全体が傾斜する程度は、一層大きくなる。それにより、全体が倒れ易くなることから、積み重ね段数を少なくせざるを得ないという問題を有している。
【００１０】
上記特許文献１に記載の包装用容器は、上位に位置する包装用容器をラッピングフィルム用の支持突起を中心としてその左右側には傾斜しない姿勢で、順次多段に積み重ねる得ることを期待できる。しかし、支持突起を設けた側壁の両側に位置する隅部のみに、前記受け部を設けた構成では、多段に積み重ねた場合に、支持突起を設けた側壁に対向する側壁側で次第に沈み込んでいくのを避けることができず、前記側壁側に向けて全体が傾斜する姿勢となるのを避けられない。
【００１１】
支持突起を設けた側壁に対向する側の側壁隅部にも同様な受け部を設けることにより、前記した傾斜姿勢となるのを回避することができる。しかし、上下の包装用容器は、前記したように、上下の支持突起同士が当接しないように空隙が形成された状態で積み重ねられており、その空隙分だけ、積み重ねた高さが高くなる。１つの空隙部の距離はわずかであっても、前記したように、３０〜１００枚程度を積み重ねたときには、その累積距離は無視できないものとなり、保管や運搬に際して、より大きなダンボールケースが必要になり、また、より多くの保管スペースが必要となる。そのために、運搬時の積載効率も低下する。
【００１２】
本発明は、上記のような事情に鑑みてなされたものであり、底面および底面の周囲から上方開口部に向けて拡開しながら次第に外側に傾斜する側壁を有する略矩形状のトレイ部と、前記側壁の１つの側壁にその一部を上方に向けて山形に成形したラッピングフィルムを支持するための支持突起とを備えた発泡樹脂シートを成形した包装用容器において、その包装用容器を多段に積み重ねたときの全体の積み上げ高さを低く抑えながら、ラッピングフィルム用の支持突起を設けた側壁に対向する側壁側に向けて全体が傾斜した姿勢となるのを阻止することのできる、より改良された包装用容器を開示することを課題とする。
【課題を解決するための手段】
【００１３】
本発明による包装用容器の第１の形態は、底面および底面の周囲から上方開口部に向けて拡開しながら外側に傾斜する側壁を有する略矩形状のトレイ部と、前記側壁の１つの側壁にその一部を上方に向けて山形に成形したラッピングフィルムを支持するための支持突起とを備えた発泡樹脂シートを成形した包装用容器において、前記包装用容器は、前記側壁のうちの前記支持突起を備えない側壁に、当該側壁の外側面から外側に膨出する肉厚の膨出部を有しており、前記肉厚の膨出部は、同じ形態の包装用容器を同じ方向で積み重ねたときに、下位に位置する包装用容器の側壁内面または頂部に当接することで、上位に位置する包装用容器が下位に位置する包装用容器とほぼ平行な姿勢を保持することができる位置に形成されていることを特徴とする。
【００１４】
本発明による包装用容器の第２の形態は、底面および底面の周囲から上方開口部に向けて拡開しながら外側に傾斜する側壁を有する略矩形状のトレイ部と、前記側壁の１つの側壁にその一部を上方に向けて山形に成形したラッピングフィルムを支持するための支持突起とを備えた発泡樹脂シートを成形した包装用容器において、前記包装用容器は、前記側壁のうちの前記支持突起を備えない側壁に、当該側壁の内側面から内側に膨出する肉厚の膨出部を有しており、前記肉厚の膨出部は、同じ形態の包装用容器を同じ方向で積み重ねたときに、上位に位置する包装用容器の側壁外面が当接することで、上位に位置する包装用容器が下位に位置する包装用容器とほぼ平行な姿勢を保持できる位置に形成されていることを特徴とする。
【００１５】
本発明による包装用容器では、いずれの形態であっても、ラッピングフィルムを支持するための支持突起を備えた側壁およびそこに連続する隅部には膨出部や受け部等は形成されていないので、２つの包装用容器を上下に重ね合わせたときに、上下の支持突起同士は、互いに当接した姿勢、すなわち、上位の包装用容器の支持突起の裏面側と下位の包装用容器の支持突起の表面側とが接触した姿勢を取ることができる。そのために、全体の積み上げ高さを低く抑えることができる。
【００１６】
一方、支持突起を備えない側壁には、肉厚の膨出部、すなわち、当該膨出部が形成される側壁の厚さよりも厚みが厚くされている膨出部、が形成されており、その作用により、同じ形態の包装用容器を同じ方向で積み重ねたときに、上位に位置する包装用容器全体を下位に位置する包装用容器とほぼ平行な姿勢を保持することができる。そのために、多段に包装用容器を積み上げても、高さを抑制した状態で、全体をほぼ垂直な姿勢に維持することができる。それにより、多数個を積み重ねた包装容器群を、例えば筒状の袋で包装する作業が容易となり、さらに、包装した袋体の複数個をダンボールケースなどに詰める作業も容易となる。包装した袋体は高さが低くかつ垂直状であることから、保管や運搬時のスペースも低減できる。
【００１７】
本発明による包装用容器において、前記肉厚の膨出部は、前記略矩形状のトレイ部における支持突起を形成した側壁を含まない他の側壁同士で形成される隅部に形成されていてもよく、前記略矩形状のトレイ部における支持突起を形成した側壁に連続する２つの側壁に対をなすようにして形成されていてもよく、前記略矩形状のトレイ部における支持突起を形成した側壁に対向する側壁に形成されていてもよい。それらを組み合わせた形態でもよい。部分的に形成されていてもよく、側壁の上縁に沿うようにして筋状に形成されていてもよい。
【００１８】
いずれの場合でも、略矩形状のトレイ部の壁部あるいは隅部に肉厚の膨出部が形成されることにより、トレイ部の強度を向上させることもでき、ラップ包装時にトレイ部に割れが生じたりするのを防止することができるとともに、容器自体を軽量化することもできる。
【００１９】
本発明による包装用容器の製造に用いられる前記発泡樹脂シートは、特に限定されるものではなく、従来公知のものを用いることができる。例えば、スチレン樹脂単独、スチレンモノマーと共重合可能なブタジエン、無水マレイン酸、メタクリル酸などのモノマーとスチレンモノマーとの共重合体樹脂単独、スチレン樹脂と前記共重合体樹脂との混合物・ポリエチレン樹脂・ポリプロピレン樹脂、または、ポリエチレンテレフタレート樹脂などを、ブタンやペンタンなどの物理的発泡剤や、アゾジカルボンアミドなどの化学的発泡剤とともに押出機で混練して押出し発泡させてなる樹脂発泡シート、さらにはこの発泡シートに樹脂フィルムを積層させたものを使用できる。
【００２０】
前記樹脂フィルムの積層は、樹脂発泡シートの片面側のみであってもよく、両面側に積層してもよい。樹脂発泡シートに積層される樹脂フィルムとしては、例えば、ポリスチレン樹脂、ハイインパクトポリスチレン樹脂、耐熱ポリスチレン樹脂などのスチレン系樹脂が用いられてなるフィルムや、ポリエチレン樹脂・ポリプロビレン樹脂などのポリオレフィン樹脂が用いられてなるフィルム、ポリエチレンテレフタレート樹脂などのポリエステル樹脂が用いられてなるフィルム、ポリビニルアルコール樹脂、または、ポリ塩化ビニリデン樹脂などのガスバリア性に優れた樹脂が用いられてなるフィルムの単独物を挙げることができる。これらのフィルム同士を複合させたフィルム（複合フィルム）も発泡シートに積層させる樹脂フィルムとして挙げることができる。
【００２１】
なかでも、本発明による包装用容器用の発泡樹脂シートとしては、発泡樹脂シートと前記積層フィルムとが同じ材質で構成されたものが、包装用容器のリサイクル性を向上させ得る点で好ましい。
【００２２】
また、使用する発泡シートは０．５〜５ｍｍの厚みのシートが、積層する樹脂フィルムは３μｍ〜１００μｍ程度の厚みのフィルムを用いることが好ましい。
【００２３】
本発明による包装用容器は前記した発泡樹脂シートを加熱して軟化させた状態で、金型等によって所定形状に成形して冷却する熱成形、例えば真空成形、圧空成形、真空圧空成形等によって製造することができる。
【発明の効果】
【００２４】
本発明による包装用容器では、多数個の包装用容器を、高さを抑制した状態で、互いに水平状態に安定して積み重ねることができるので、段積みした多数個の包装用容器を外装用袋に収容する作業が容易となり、包装作業の効率を大きく改善することができる。また、外装用袋に包装した包装体を無駄な空間のない状態でダンボールケース内に収容することができるので、ダンボールケースの容積も節減することができ、保管時の省スペース化が図られ、また運搬時の積載効率も向上する。さらに、隅部およびまたは壁部に壁部よりも肉厚の膨出部を形成したことで、包装用容器の強度を向上させることができ、ラップ包装時に包装用容器に割れが生じるのも防止することができるとともに、容器自体を軽量化することができる。
【図面の簡単な説明】
【００２５】
【図１】本発明による包装用容器の一例を上面から見て示す斜視図。
【図２】図２（ａ）は図１に示す包装用容器の平面図、図２（ｂ）は図１に示す包装用容器の右側面図。
【図３】図３（ａ）は図２のａ−ａ線に沿う断面図、図３（ｂ）は図２のｂ−ｂ線に沿う断面図。
【図４】図１に示す包装用容器を多段に積み重ねたときのラッピングフィルム用の支持突起の部分を示す断面図。
【図５】図１に示す包装用容器を多段に積み重ねたときの状態を示す側面図。
【図６】図６（ａ）は本発明による包装用容器の他の例を示す平面図、図６（ｂ）は図６（ａ）のｃ−ｃ線に沿う断面図、図６（ｃ）は図６（ａ）のｄ−ｄ線に沿う断面図。
【図７】本発明による包装用容器の他の形態を示す、図３（ｂ）に相当する図。
【図８】従来のラッピングフィルムのための支持突起を形成した包装容器を多段に積み上げたときの状態を説明する図。
【発明を実施するための形態】
【００２６】
以下、本発明をいくつかの実施の形態に基づき説明する。
本発明による包装用容器１０は発泡樹脂シートを成形した包装用容器１０であり、基本的に、図１および図２に示すように、底面１１および底面１１の周囲から上方開口部に向けて拡開しながら外側に傾斜する側壁１２を有する略矩形状のトレイ部１５と、前記側壁１２の１つの側壁１２ａにその一部を上方に向けて山形に成形した、ラッピングフィルムを支持するための１個または１個以上の支持突起１６とを備える。図示のものでは、２個の同じ形状の支持突起１６が側壁１２ａに形成されているが、前記したように、個数は任意であり、また、同じ形状の包装用容器１０を上下方向に多段に積み重ねうることを条件に、各支持突起１６は異なった形状であってもよい。
【００２７】
包装用容器１０の製造に用いられる前記発泡樹脂シート等は前記したとおりである。包装用容器１０の成形には、発泡樹脂シートを加熱して軟化させた状態で、金型等によって所定形状に成形して冷却する熱成形が好適である。
【００２８】
図３（ａ）に、図２（ａ）のａ−ａ線に沿う断面を示すように、支持突起１６の表面側および裏面側はともに平坦な面であり、また、４周の側壁の表面側および裏面側も平坦な面とされている。さらに、図示のものでは、底面１１の中央部は盛り上がり部１７とされており、底面１１の周囲には、液溜まり部１８が形成されている。側壁１２の上縁には、下面は水平面であり上面は弧面となったフランジ１９が形成されており、包装用容器１０、特にトレイ部１５の強度を大きくしている。なお、図示のものでは、支持突起１６の厚さは側壁１２の厚さとほぼ同じとされているが、ラップ時に支持突起１６に作用する圧力によって変形等が生じないように、支持突起１６の厚さを側壁１２の厚さよりも厚くするようにしてもよい。
【００２９】
図示の包装用容器１０において、略矩形状のトレイ部１５における前記支持突起１６を形成した側壁１２ａを含まない他の側壁、すなわち、図で側壁１２ａを除く３つの側壁１２ｂ，１２ｃ，１２ｄ同士で形成される隅部であって、側壁１２の頂部よりやや下方の位置には、図２に示されるように、外側向けて膨出した膨出部２０が形成されており、該膨出部２０の領域は、側壁１２の他の部分と比べて肉厚となっている（図３（ｂ）参照）。
【００３０】
なお、図５は、上記の包装用容器１０を多段に積み上げた状態を示しており、また、図４は、包装用容器１０を多段に積み重ねたときに、上下に位置する支持突起１６、１６の位置関係を示している。図５に示すように、方向を同じにして包装用容器１０同士を上下に積み重ねたとき、上位に位置する包装用容器１０の前記外側に膨出した膨出部２０は、下位に位置する包装用容器１０の対応する隅部の平坦な内側面あるいは頂部と当接する。そして、その当接位置により、上下の包装用容器１０、１０における、支持突起１６を形成した側壁１２ａに対向する側の側壁１２ｃ、１２ｃの頂部間の距離は変化する。
【００３１】
一方、図４に示すように、支持突起１６を形成した側壁１２ａ側では、上下に位置する支持突起１６、１６は互いに接した状態、すなわち、上位の支持突起１６の裏面と下位の支持突起１６の表面とが接した状態となっており、上下の包装用容器１０は、無駄な隙間のない状態で、すなわち、包装用容器１０の形状によって規制される最も低い積み上げ高さとして、積み重ねられている。
【００３２】
したがって、前記膨出部２０の形成位置およびまたは形状を、包装用容器１０の形状に応じて適切に設定することにより、上位に位置する包装用容器１０が下位に位置する包装用容器１０とほぼ平行な姿勢を保持した状態で、積み重ねることが可能となる。同時に、全体の積み上げ高さも、包装用容器１０の肉厚等に応じて必然的に設定される高さを超えない低い積み上げ高さとすることができる。
【００３３】
なお、膨出部２０の形状は、図３（ｂ）の断面図に示すように、外側面２１がほぼ垂直面であり、下端面２２がほぼ水平面であることは、成形性および成形型から包装用容器１０を脱型するときの容易性の観点から好ましいが、これに限らない。また、前記外側面２１は型抜き方向に垂直であってもよいが、成形材料が発泡樹脂シートであることから、抜き方向に対して幾分逆テーパとなっていても差し支えない。その場合、膨出部２０は、外側面２１が垂直面であるのと比較して、その下端部２２をより外側に膨出した形状とすることができ、より小型の膨出部２０で所期の目的を達成することが可能となる。
【００３４】
前記したように、上記した包装用容器１０では、前記した外側に膨出した膨出部２０の作用により、同じ形態の包装用容器１０を同じ方向で積み重ねたときに、高さを抑制した状態で、全体をほぼ垂直な姿勢に維持することができる。そのために、多数個を積み重ねた包装容器群を、図示しない筒状の袋で包装する作業がきわめて容易となる。また、包装した袋体の複数個をダンボールケースなどに詰める作業も容易となる。さらに、包装した袋体は高さが低くかつ垂直状であることから、保管や運搬時のスペースも低減できる。
【００３５】
また、上記した包装用容器１０をラッピングフィルムを用いて包装する場合、包装用容器１０はラッピングフィルムのための支持突起１６を有することから、ラッピングフィルムとの接触により刺身などが変形してつぶれることを回避することができることに加え、隅部に形成した膨出部２０によって、トレイ部１５の強度を向上させることができ、ラップ包装時にトレイ部１５に割れが生じたりするのを防止することもできる。
【００３６】
上記膨出部２０は、例えば、次のようにして形成することができる。真空成形機の雄型と雌型との間に、発泡樹脂シートを挟んで両面あるいは片面真空成形によって包装用容器１０を成形する場合に、膨出部２０を形成する箇所においては、雄型と雌型とを閉じた際に形成される成形のためのスペースが他の箇所よりも広い状態となっている。熱成形前には、発泡樹脂シートと成形型表面との間には空隙部が形成されているが、真空成形においては成形型表面に形成された微細な吸気口から型内部の空気が吸引される。この吸引によって発泡樹脂シートと成形型との間の空隙部が真空状態となる。このとき、前記発泡樹脂シートは加熱されて軟化された状態にあり、真空状態下での気泡の熱膨張ならびに真空引きによって、その箇所の厚みが増大されることによって、前記膨出部２０が形成される。
【００３７】
図６は、本発明による包装用容器の他の形態を説明している。この包装用容器１０Ａでは、外側に膨出する肉厚の膨出部として、前記隅部に形成した膨出部２０に代えて、略矩形状のトレイ部１５における支持突起１６を形成した側壁１２ａに連続する２つの側壁１２ｂ，１２ｄに、対をなすようにして外側に膨出した第２の肉厚の膨出部２０ａが形成され、さらに、支持突起１６を形成した側壁１２ａに対向する側壁１２ｃにも外側に膨出する第３の肉厚の膨出部２０ｂが形成されている。
【００３８】
前記した膨出部２０の場合と同様、第２の肉厚の膨出部２０ａおよび第３の肉厚の膨出部２０ｂを、上位に位置する包装用容器が下位に位置する包装用容器とほぼ平行な姿勢を保持することができるように位置および形状をそれぞれ設定して形成することにより、包装用容器１０Ａを互いに平行姿勢を維持しながら多段に積み上げることが可能となり、かつ安定した積み上げ姿勢を得ることができる。
【００３９】
図示しないが、さらに他の形態として、略矩形状のトレイ部１５における支持突起１６を形成した側壁１２ａに連続する２つの側壁１２ｂ，１２ｄに、対をなすようにして外側に膨出した第２の肉厚の膨出部２０ａのみを形成した形態、あるいは、支持突起１６を形成した側壁１２ａに対向する側壁１２ｃに外側に膨出する第３の肉厚の膨出部２０ｂのみを形成した形態であっても、各包装用容器は所期の目的を達成することができることは容易に理解できる。
【００４０】
また、図６に示した形態の第２および第３の膨出部２０ａ，２０ｂを備えた包装用容器１０Ａに対して、支持突起１６を形成した側壁１２ａを含まない他の側壁１２ｂ，１２ｃ，１２ｄ同士で形成される隅部に、さらに前記した外側に膨出した膨出部２０を形成することもできる。
【００４１】
さらに、前記第２の肉厚の膨出部２０ａおよび第３の肉厚の膨出部２０ｂを形成する場合は、膨出部を各側壁の頂部（フランジ部１９）に沿って部分的に形成してもよく、頂部の全長に沿って形成してもよい。後者の場合には、略矩形状のトレイ部１５の側壁周縁を補強する効果ももたらされる。
【００４２】
また、上記の説明では、肉厚の膨出部２０、２０ａ、２０ｂは外側に膨出しているものとして説明したが、図７に示すように、肉厚の膨出部を、略矩形状のトレイ部１５の内側に膨出する形状の膨出部２０ｃとすることもできる。ただし、この場合には、同じ形態の包装用容器を同じ方向で積み重ねたときに、上位に位置する包装用容器の側壁１２の外面が、下位に位置する内側に膨出した肉厚の膨出部２０ｃと当接することで、上位に位置する包装用容器が下位に位置する包装用容器とほぼ平行な姿勢を保持されることとなる。なお、図示しないが、前記した第２の肉厚の膨出部２０ａおよび第３の肉厚の膨出部２０ｂについても、内側に膨出する形状の膨出部として形成することができる。
【符号の説明】
【００４３】
１０…本発明による包装用容器、
１１…底面、
１２（１２ａ，１２ｂ，１２ｃ，１２ｄ）…側壁、
１５…略矩形状のトレイ部、
１６…ラッピングフィルムを支持するための支持突起、
１７…底面の盛り上がり部、
１８…液溜まり部、
１９…側壁の上縁に形成したフランジ、
２０、２０ａ、２０ｂ…外側向けて膨出した膨出部、
２０ｃ…内側に膨出する形状の膨出部、
２１…膨出部の外側面、
２２…膨出部の下端面。
【図１】
2010269805.tif 000003
【図２】
2010269805.tif 000004
【図３】
2010269805.tif 000005
【図４】
2010269805.tif 000006
【図５】
2010269805.tif 000007
【図６】
2010269805.tif 000008
【図７】
2010269805.tif 000009
【図８】
2010269805.tif 000010